(57)【特許請求の範囲】
【請求項１】
移動通信システムにおいて使用する移動端末機であって、
無線チャンネルを介して、呼出信号と、画像情報および音声情報を含む発信者情報を受信し、前記発信者情報を前記画像情報および前記音声情報に分離する発信者識別子検出部と、
前記発信者識別子検出部によって分離された前記画像情報と音声情報を、元の画像および音声信号を復元するために処理する信号処理部と、
前記信号処理部から出力される前記復元された元の画像および音声信号を格納および出力するように制御する制御部と、
前記制御部の制御によって前記信号処理部から出力される前記復元された元の画像および音声信号を格納するメモリと、
前記復元された元の画像信号を予め定められた大きさに変換する画像サイズ変換部と、
前記制御部の制御によって前記画像サイズ変換部から出力される画像信号を表示するための画像表示部と、
前記制御部の制御によって前記信号処理部から出力される前記復元された音声信号を再生するためのスピーカと、
を備えることを特徴とする移動端末機。
【請求項２】
前記画像情報は文字情報と組み合わされていることを特徴とする、請求項１に記載の移動端末機。
【請求項３】
前記信号処理部は、
前記復元された元の音声信号を形成するために、前記発信者識別検出部から出力される前記音声情報を復元する音声情報処理部と、
復元された元の文字信号を形成するために、前記発信者識別検出部から出力される前記文字情報を復元する文字情報処理部と、
前記復元された元の画像信号を形成するために、前記発信者識別検出部から出力される前記画像情報を復元する画像情報処理部と、
を備えることを特徴とする、請求項２に記載の移動端末機。
【請求項４】
前記画像情報は  発信側移動端末機のユーザの特徴を表す画像情報、または前記発信側移動端末機のユーザが送りたい画像情報のどちらか一方であることを特徴とする、請求項１に記載の移動端末機。
【請求項５】
前記発信者情報は呼出信号とともに受信され、前記呼出信号は主呼出チャネルを介して受信され、前記無線チャネルは二次的呼出チャネルであることを特徴とする請求項１記載の移動端末機。
【請求項６】
前記スピーカは、リング信号を出力せずに、前記復元された音声信号を再生することを特徴とする請求項１記載の移動端末機。
【請求項７】
移動端末機において発信者情報を表示する方法であって、この方法は、
無線チャンネルを介して、呼出信号と、画像情報および音声情報を含む発信者情報を受信し、前記発信者情報を前記画像情報および音声情報とに分離するステップと、
前記画像情報と音声情報を、元の画像および音声信号を復元するために処理するステップと、
前記移動端末機の制御部の制御によって、前記復元された元の画像および音声信号をメモリに格納するステップと、
前記復元された元の画像信号を予め定められた大きさに変換するステップと、
前記制御部の制御によって、前記予め定められた大きさを有する前記画像信号をディスプレイ上に表示するステップと、
前記移動端末機のスピーカを介して前記復元された元の音声信号を出力するステップと、
を含むことを特徴とする方法。
【請求項８】
前記発信者情報は文字情報と組み合わされていることを特徴とする請求項７記載の方法。
【請求項９】
前記画像情報は  発信側移動端末機のユーザの特徴を表す画像情報、または前記発信側移動端末機のユーザが送りたい画像情報のどちらか一方であることを特徴とする、請求項８に記載の方法。
【請求項１０】
前記発信者情報は呼出信号とともに受信され、前記呼出信号は主呼出チャネルを介して受信され、前記無線チャネルは二次的呼出チャネルであることを特徴とする請求項７記載の方法。
【請求項１１】
前記スピーカは、リング信号を出力せずに、前記復元された音声信号を再生することを特徴とする請求項７記載の方法。
【発明の詳細な説明】
【０００１】
【発明の属する技術分野】
本発明は移動通信網で発信者情報提供システム及び発信者情報伝送方法に関するもので、特に、移動通信網で電話着信呼が着信側の移動端末機に伝送される時、発信者の情報を共に伝送する、移動通信網での発信者情報提供装置及び発信者情報伝送方法に関する。
【０００２】
【従来の技術】
電話通信網に加入した着信側移動端末機の使用者が発信者を確認したい時、公衆交換網（ＰＳＴＮ）のような固定網上で特定発信側移動端末機の使用者から電話が来ると、着信号の受信と共に、着信側電話機の液晶表示装置に発信者の電話番号や名前が表示される発信者識別（ＣＬＩＤ）サービスが常用化されている。
しかし、このような発信者識別サービスは公衆交換網に基づいた固定網でのみ提供可能であり、移動通信網では無線技術上の問題などにより、まだ実用化されてない状況である。
【０００３】
【発明が解決しようとする課題】
本発明は上記従来技術の問題点を鑑みて成されたもので、その目的は移動通信網を使用して特定着信側の移動端末機に電話着信呼を伝送する場合、発信者の画像情報も共に伝送できるようにした、移動通信網での発信者情報提供装置及び発信者情報伝送方法を提供することである。
【０００４】
本発明の他の目的は、特定の通信事業者オペレーティングセンタ、または端末機加入代理店で特定移動端末機の使用者に対する画像イメージを作り、画像サービス制御局に登録及び管理して、必要時着信側の移動端末機へ伝送できるようにした、移動通信網での発信者情報伝送方法を提供することである。
【０００５】
本発明のさらに他の目的は発信者情報システムで特定の着信側移動端末機が電話着信呼を伝送するとき、発信者の画像情報、音声情報及び文字情報のうち選択的に組み合われた発信者情報をも受信できるようにした、移動通信網での発信者情報提供装置及び発信者情報伝送方法を提供することである。
【０００６】
本発明のさらに他の目的は発信者情報システムで特定着信側の移動端末機が電話着信呼を受信するとき、発信者の画像情報、または発信者の画像情報、音声情報及び文字情報のうち選択的に組み合われた発信者情報を一緒に受信できるようにする移動端末機を提供することである。
【０００７】
【課題を解決するための手段】
上記目的を達成するための本発明による移動通信網での発信者情報提供装置は、画像情報を表示できる表示装置を備えた移動端末機と、その移動端末機の発信呼及び着信呼を処理し、移動端末機に画像情報を伝送できるように無線チャネルを準備している基地局と、その基地局から出力される発信呼及び着信呼を処理し、画像情報を着信側の移動端末機へ伝送する移動交換局と、画像情報を格納し、移動交換局に画像情報を提供する画像サービス制御局と、使用者登録を受け、画像情報サービスを制御するための通信事業者オペレーティングセンタとを含むことを特徴とする。
【０００８】
前記画像情報は使用者の特徴を現すための画像情報であることを特徴とする。
【０００９】
前記画像情報は使用者が伝送を所望する画像情報であることを特徴とする。
【００１０】
前記画像情報は使用者が通信事業者オペレーティングセンタを介して画像サービス制御局に登録したものであることを特徴とする。
【００１１】
前記使用者が画像認識装置または画像撮影装置を用いて画像情報を登録することを特徴とする。
【００１２】
前記使用者は入力装置を用いて画像情報を生成した後登録することを特徴とする。
【００１３】
前記画像情報は通信事業者オペレーティングセンタで提供する画像情報であることを特徴とする。
【００１４】
前記画像サービス制御局は、通信事業者オペレーティングセンタまたは移動交換局とデータ通信を実行するためのデータ送／受信部と、そのデータ送／受信部の出力信号から特定移動端末機の識別者を検出する発信者識別部と、データ送／受信部で提供される画像情報を格納するように制御し、かつ格納した画像情報を出力する制御部と、その制御部の制御によって画像情報をデータ送／受信部に提供する発信者情報発生部とを含むことを特徴とする。
【００１５】
前記画像サービス制御局は、制御部の制御によって各々の移動端末機の識別者をデータベース形態で管理する利用者管理部と、制御部の制御によって画像情報を格納し、かつ格納した特定の画像情報を出力する画像メモリとがさらに構成されることを特徴とする。
【００１６】
前記画像メモリは制御部の制御により、画像情報を発信者別に区分して格納することを特徴とする。
【００１７】
前記画像メモリは制御部の制御により、画像情報を通信事業者オペレーティングセンタに登録した使用者別に区分して格納することを特徴とする。
【００１８】
本発明による移動通信網での発信者情報提供装置は、画像情報及び／又は文字情報を表示できる表示装置と音声情報を出力するスピーカを備えた移動端末機と、前記移動端末機の発信呼及び着信呼を処理し、移動端末機に画像情報、文字情報、または音声情報を選択的に伝送できるように無線チャネルを準備している基地局と、前記基地局で出力される発信呼及び着信呼を処理し、画像情報、文字情報または音声情報の選択的な組合からなる発信者情報を着信側の移動端末機に伝送する移動交換局と、前記発信者情報を格納し、移動交換局にその発信者情報を提供する画像サービス制御局と、使用者登録を受け取り、前記発信者情報サービスを制御するための通信事業者オペレーティングセンタとを含むことを特徴とする。
【００１９】
前記発信者情報は発信者の特徴を現す情報であって、少なくとも一つ以上の画像、文字、音声情報の組合から構成されることを特徴とする。
【００２０】
本発明による移動通信網での画像情報伝送方法は、少なくとも一つの移動交換局と多数の移動端末機の使用者に対する画像情報を格納及び管理する画像サービス制御局を備えた移動通信網を利用して、前記多数の移動端末機のうち特定の移動端末機が特定の着信側の移動端末機に呼接続を要求するとき、移動交換局から画像サービス制御局に特定の移動通信端末機に対する画像情報の検索及び伝送を要請する段階と、画像サービス制御局から検索結果に対応する画像情報を移動交換局へ伝送する段階と、移動交換局から特定の移動端末機の呼出信号と共に画像情報を着信側の移動端末機へ伝送する段階とを備えることを特徴とする。
【００２１】
前記移動端末機の使用者が画像情報伝送方法の実行の有無を選択する段階がさらに含まれることを特徴とする。
【００２２】
本発明による移動通信網での画像情報伝送方法は、多数の移動端末機の使用者に対する画像情報を格納及び管理する画像サービス制御局を備えた移動通信網を利用して、特定の使用者に対する画像情報を生成する段階と、画像情報を画像サービス制御局に登録する段階と、登録した画像情報を特定の移動端末機へ伝送する段階とを備えることを特徴とする。
【００２３】
前記画像情報生成段階は画像認識装置または画像撮影装置を用いて成されることを特徴とする。
【００２４】
前記画像情報の生成段階は入力装置を用いて成されることを特徴とする。
【００２５】
前記画像情報の登録段階は画像情報を該当移動端末機の識別者と共に登録することを特徴とする。
【００２６】
本発明による移動端末機は、無線チャネルを介して伝送される発信者情報を受信して画像、文字、及び音声情報を分離出力する発信者識別部と、分離した情報を処理するための信号処理部と、その信号処理部から出力される情報を格納または出力するように制御する制御部と、制御部の制御によって前記信号処理部の出力情報を格納するメモリと、制御部の制御によって前記信号処理部の出力情報を表示するための表示部とを含むことを特徴とする。
【００２７】
以上のような本発明の特徴によれば、移動通信網で特定の着信側電話機が電話着信呼を受信する場合、発信者の情報が画像情報、音声情報及び文字情報のうちいずれかを選択的に組み合われて提供されるので、着信側移動端末機の使用者が通話前に発信者を確認できるという長所がある。従って、通話の実行可否を迅速に決定することができ、画像通話も可能であるので、使用者に有用な情報を提供することができる。また、使用者が自分の移動電話機を呼出すと、使用者のみの画像や文字、音声などを見ることができる。
【００２８】
【発明の実施の形態】
以下、本発明の好ましい一実施形態による構成及び作用を添付図面を参照にして説明する。
【００２９】
図１は本発明一実施形態によるコード分割多重接続方式に基づいた移動通信網での発信者情報提供装置の構成ブロック図である。
図１を参照すると、本実施形態による移動通信網を利用する発信者情報提供システムは、画像情報を表示できる表示装置を備えた多数の移動端末機１０ａ−１０ｎと、移動端末機１０ａ−１０ｎに対する発信呼または着信呼を処理し、各移動端末機に画像情報を伝送できるように無線チャネルを準備している基地局及び基地局制御器２０と、基地局及び基地局制御器２０から出力される発信呼を処理し、発信呼の処理時、移動端末機の使用者に対する画像情報をサービス基地局を介して着信側の移動端末機へ伝送する移動交換局３０と、移動交換局３０の制御によって、発信側移動端末機に対応する画像情報を移動交換局３０へ伝送する画像サービス制御局４０とで構成されている。移動交換局３０には、さらに全ての移動端末機１０ａ−１０ｎの位置を管理するホーム位置登録機６０が接続され、かつ、一般の有線電話網である公衆交換網７０に接続されている。
【００３０】
また、各移動端末機１０ａ−１０ｎは画像情報及び／又はそれぞれ、文字情報を表示できる表示装置や音声情報を出力するスピーカなどを備え、画像サービス制御局４０も別途のメモリを備えて画像情報、文字情報、音声情報を個別的に格納及び管理することが可能である。従って、発信側の電話機が電話発信呼を伝送する場合、画像情報のみを提供したり、画像情報、音声情報または文字情報のうち選択的に組み合われた発信者情報を提供することもできる。
【００３１】
現在、常用化されているコード分割多重接続（Code Division Multiple Access:以下ＣＤＭＡ）方式のセルラー移動通信網では、一周波数当たり６４のチャネルが割り当てられている。６４のチャネルのうち一つは、パイロットチャネル、他の一つは同期チャネル、七つが呼出チャネル、そして、残りが通話チャネルである。ここで、呼出チャネルはメッセージを通して基地局から移動端末機へ情報を伝達する。重要メッセージとしてシステム情報、呼出、命令、そして、チャネル割当などがある。
【００３２】
本発明の目的を達成するために、本実施形態の移動通信網は次のような機能が決められている。
移動通信網にはサービス基地局で一つの呼出チャネルを用いて呼出信号と画像情報、文字情報、または音声情報を選択的に伝送することができ、二つの呼出チャネルを用いて必要な情報を伝送することもできる。ここで、二つの呼出チャネルを使用する場合、主呼出チャネルは呼出信号及び／又は音声情報を伝送するためのものであり、予備呼出チャネルは文字情報及び／又は画像情報を伝送するためのものである。画像情報が予備呼出チャネルを介して伝送される場合、主呼出チャネルを介して伝送される呼出信号に、画像情報が予備呼出チャネルを介して伝送されることを知らせるメッセージが含まれる。
【００３３】
また、画像情報は、移動通信網で提供される一つの通話チャネルを介して着信側の移動端末機へ伝送される通話データと共に伝送されるようにすることができる。そのとき画像情報は通話データの一番前の部分で伝達されるのが好ましい。
【００３４】
また、本実施形態では発信者の画像を格納及び伝送するために画像圧縮技術が用いられるが、画像情報の解像度が一定の大きさを有し、格納及び伝送時、最小限のデータ量を有するように（例えば、６４×６４ビット）画像の大きさを固定して使用できる。
【００３５】
また、他の方法として、元の画像情報を２００×２００ビット程の基準大きさに圧縮して伝送することにより、着信側移動端末機で自分の表示装置に合うように画像の大きさを変換することができる。
【００３６】
本実施形態による移動端末機１０ａ、１０ｎは、図２に示すように、一つの呼出チャネルを介して伝送されるデータフレームを受信して発信者識別者を検出し、そのデータフレームに含まれた着信側移動端末機の識別者が自分である場合、伝送データを受信してデータの種類別に出力する発信者識別部２と、音声情報処理部４、文字情報処理部５、画像情報処理部６で構成され、発信者識別部２から出力される信号を元の音声信号、文字信号、または画像信号になるよう各々復元する信号処理部３と、信号処理部３から出力される音声信号、画像信号、または文字信号を格納または出力されるように制御するプロセッサ７と、プロセッサ７から出力される画像信号または文字信号を予め定められた大きさに変換する画像サイズ変換部１０と、プロセッサ７の制御のためのキーパッド８と、プロセッサ７から出力される情報を格納するためのメモリ９と、画像サイズ変換部１０から出力される画像情報を示すための画像表示部１１と、プロセッサ７から出力される文字情報を示すためのＬＣＤ表示部１２と、プロセッサ７から出力される音声情報を知らせるためのスピーカ１３とで構成されている。
【００３７】
本実施形態による移動端末機の使用者は、発信者情報伝送方法の実行の可否を移動端末機のキーパッドを操作してモードを選択することで制御することができる。
【００３８】
また、前記画像サービス制御局４０は、図３に示すように、通信事業者オペレーティングセンタ５０または前記移動交換局３０とデータ通信を実行するためのデータ送／受信部４１と、データ送／受信部４１の出力信号から特定の発信側移動端末機の利用者を検出する発信者識別部４２と、データ送／受信部４１から提供される特定移動端末機の発信者情報が格納されるように制御し、かつ格納した発信者情報を選択的に出力させる制御部４４と、制御部の制御により選択的に出力される発信者識別情報を受信して、データ送／受信部４１に提供する発信側識別情報発生部４３と、制御部４４の制御によって各々の移動端末機の利用者をデータベース形態に管理する利用者管理部４５と、制御部４４の制御によって画像情報を格納し、かつ格納した特定の画像情報を出力するための画像メモリ４６と、制御部４４の制御によって文字情報を格納し、かつ格納した特定の文字情報を出力するための文字メモリ４７と、制御部４４の制御によって音声情報を格納し、かつ格納した特定の音声情報を出力するための音声メモリ４８とで構成されている。本実施形態においては各メモリを別々のものとして描いているが、もちろん共用しても良い。
【００３９】
ここで、画像サービス制御局４０は移動交換局３０の要請に応じて自分の利用者管理部４５を検索して、発信者識別サービスがすでに行われている加入者であれば、通信事業者オペレーティングセンタ５０を介して、各移動端末機と通信事業者オペレーティングセンタとの間で要求した情報のみを移動交換局３０に提供する。
例えば、画像情報のみ提供することもでき、画像情報に発信者の電話番号や名前、商号などを示す文字情報を添えて提供することもできる。また、画像情報と文字情報及び、文字情報の内容を音声で知らせる音声情報もを同時に提供することもできる。
【００４０】
図４は本実施形態によるコード分割多重接続方式に基づいた移動通信網での画像情報登録手順を示す流れ図である。
まず、本実施形態に用いられる画像圧縮方式に対して説明する。
一般に、停止映像の標準化圧縮方式は既存のＪＰＥＧまたは現在進行中のＪＰＥＧ−２０００がある。既存のＪＰＥＧはＤＣＴ（Discrete Cosine Transform)を使用して２次元映像を変換させた後、量子化過程を経て圧縮効率を増加させている。
しかし、この方式は変換領域に順方向、逆方向への変換過程が必要となる短所がある。一方、ＪＰＥＧ−２０００ではウェーブレット（wavelet）技法を用いた方式が標準化方式となる可能性が多く、計算量が既存のＪＰＥＧ方式より多い。
ＪＰＥＧ方式の圧縮率は略２０−８０：１程度であり、ウェーブレットを用いたＪＰＥＧ−２０００は１００：１程度に圧縮することができる。
【００４１】
移動端末機の使用者を識別可能であり、且つ計算量を最大限減らせる方式としてはＤＭ（Delta Modulation, 略４：１の圧縮率）、ＤＰＣＭ（Differential Pulse Coding Modulation, 略６：１の圧縮率）、またはＡＤＰＣＭ（Adaptive Pulse Coding Modulation, 略８：１の圧縮率）などを考えることができる。このような方式を使用する場合はその階層的構造のため、雑音などによるエラーに強いロバスト（robust)処理を共に考慮しなければならない。
【００４２】
以下、図４を参照にして説明すると、各移動端末機の使用者はコンピュータやスキャナーを用いて使用者の特徴を現す画像情報（例えば、写真、絵など）を作成した後、基地局２０を介して移動交換局３０へ伝送する（ａ１、ｂ１）。その移動交換局３０は画像情報データを受信して、通信事業者オペレーティングセンタ５０へ伝送する（ｃ１）。次いで、通信事業者オペレーティングセンタ５０は受信した画像情報を設定規格に合うように圧縮したり画像情報の大きさを変換した後、画像サービス制御局４０に直接伝送して、発信者識別のための画像情報の登録を要請する（ｄ１）。
【００４３】
本実施形態での画像情報は６４×６４ビットの元の画像を圧縮して伝送することもでき、２００ビット×２００ビットのより大きな元の画像を圧縮して伝送することもできる。２００ビット×２００ビットの画像を圧縮して伝送した場合は、受信した画像の大きさを自分のディスプレイサイズに合うように変形することができる。従って、画像サービス制御局４０は通信事業者オペレーティングセンタ５０の要請に応じて、特定使用者の画像情報を自分の画像処理用メモリ４６に登録して管理する。
【００４４】
次いで、画像サービス制御局４０は、移動交換局３０に画像形状に対する格納完了メッセージを伝送し、移動交換局３０は再び基地局２０を介して該当発信側移動端末機１０ａへ格納完了メッセージを伝送する（ｅ１−ｇ１）。
【００４５】
また、各移動端末機の使用者はコンピュータや移動端末機を用いて使用者の特徴を現す文字情報（例えば、名前、商号、メッセージなど）を作成した後、基地局２０を介して移動交換局３０へ伝送する。移動交換局３０は文字情報データを受信して通信事業者オペレーティングセンタ５０へ伝送する。通信事業者オペレーティングセンタ５０は画像サービス制御局４０に発信者識別のための文字情報の登録を要請する。
従って、前記画像サービス制御局４０は、通信事業者オペレーティングセンタ５０の要請に応じて、特定使用者の文字情報を自分の文字処理用メモリ４７に登録して管理する。
次いで、画像サービス制御局４０は移動交換局３０に文字情報に対する格納完了メッセージを伝送し、移動交換局３０は再び基地局２０を介して該当発信側移動端末機１０ａへ格納完了メッセージを伝送する。
【００４６】
一方、各移動端末機の使用者はコンピュータを用いて使用者の特徴を現す音声情報（例えば、歌、伴奏）を作成した後、基地局２０を介して移動交換局３０へ伝送する。移動交換局３０は音声情報データを受信して通信事業者オペレーティングセンタ５０へ伝送し、通信事業者オペレーティングセンタ５０は画像サービス制御局４０に発信者識別のための音声情報の登録を要請する。
【００４７】
従って、画像サービス制御局４０は通信事業者オペレーティングセンタ５０の要請に応じて、特定使用者の音声情報を自分の音声処理用メモリ４８に登録して管理する。次いで、画像サービス制御局４０は移動交換局３０に音声情報に対する格納完了メッセージを伝送し、移動交換局３０は再び基地局２０を介して該当発信側移動端末機１０ａへ格納完了メッセージを伝送する。
【００４８】
一方、図４に示すものと異なり、通信事業者オペレーティングセンタ５０または端末機加盟代理店（図示せず）で各移動端末機の使用者の画像情報をスキャナーのような画像認識装置またはデジタルカメラのような画像撮影装置を用いて生成し、その画像情報の大きさを設定規格に合うように変換した後、圧縮して画像サービス制御局４０へ直接伝送して登録することもできる。また、前記過程によって使用者の特徴を示す文字情報または音声情報などもを一緒に登録することができる。
【００４９】
従って、移動交換局３０で発信者の情報を要求する時、画像サービス制御局４０は発信者識別のための情報を用いて、発信側移動端末機１０ａに対応する画像情報、文字情報及び音声情報があるか否かを判断し、また発信側移動端末機１０ａと通信事業者オペレーティングセンタ５０間の設定情報を選択的に組み合わせて伝送する。
【００５０】
ここで、画像情報は画像サービス制御局４０に登録した発信側移動端末機の使用者の写真、または使用者の特徴を現す映像やキャラクタ、絵、同映像などを含む。または、通信事業者オペレーティングセンタ５０で提供する画像情報を発信側移動端末機の使用者が選択して画像サービス制御局４０に登録した後伝送することもできる。
【００５１】
そして、画像情報と共に、または単独で文字情報もを伝送することができ、その文字情報の例としては発信側移動端末機の電話番号や名前、商号、或いは発信側移動端末機の使用者が作成して画像サービス制御局４０に登録したメッセージなどが含まれる。同様に、通信事業者オペレーティングセンタ５０が提供する文字情報を発信側移動端末機の使用者が選択して画像サービス制御局４０に登録した後伝送することもできる。
【００５２】
そして、画像情報、文字情報と共に、または単独で音声情報もを伝送することができ、その音声情報の例としては既に知られている歌や伴奏、或いは発信側移動端末機の使用者が作って画像サービス制御局４０に登録した歌や伴奏、メロディー、音声メッセージなどを含む。その際、通信事業者オペレーティングセンタ５０が提供する音声情報を発信側移動端末機の使用者が選択して画像サービス制御局４０に登録した後伝送することもできる。即ち、画像情報、文字情報、音声情報はシステムの支援条件内で必要時に変更及び拡張が可能である。また、通信事業者オペレーティングセンタ５０に登録した使用者別、或いは発信側移動端末機の識別者別に区分して画像情報、文字情報、音声情報を画像サービス制御局４０に格納しておくことができる。
【００５３】
そして、画像情報や文字情報は入力装置を用いて使用者が直接作成して画像サービス制御局４０に登録することもでき、その入力装置の例としては有無線リモコン、またはコンピュータなどに有線或いは無線で連結されるキーボードやマウス、フェンマウスであることもできる。
【００５４】
発信側移動端末機の利用者と着信側移動端末機の利用者が異なる場合は、発信者情報（例えば、使用者の特徴を現す画像情報、文字情報、音声情報のうち少なくとも一つ以上の組合）が着信側移動端末機に提供される。また、発信側移動端末機の利用者と着信側移動端末機の利用者が同一である場合、即ち、使用者が自分の移動電話機を呼び出す場合には使用者自分の情報（例えば、画像情報、文字情報、音声情報のうち少なくとも一つ以上の組合）が自分の移動端末機に提供される。この場合、使用者は自分のみのための画像情報、文字情報、音声情報を受け取ることができる。ここで、使用者は移動端末機を用いて着信側移動端末機（自分の移動端末機含み）に発信者情報を伝送することもでき、コンピュータやネットワークを用いて伝送することもできる。
本実施形態では使用者が移動端末機を用いて着信側移動端末機（自分の移動端末機を含む）に発信者情報を提供する場合を実施形態として説明する。
【００５５】
以下、添付の図５を参照にして本実施形態の一実施形態による発信者情報伝送手続きを説明する。図５では発信側移動端末機を１０ａ、着信側移動端末機を１０ｂとし、呼出信号、音声信号、文字信号、及び画像信号が全て伝送される場合を例として説明する。
【００５６】
図５を参照すると、発信側移動端末機１０ａが基地局２０ａに呼接続を要請する（ａ２）。基地局２０ａは発信側移動端末機１０ａの要請信号を受信し、これを移動交換局３０ａへ伝送する。移動交換局３０ａは着信側移動端末機１０ｂの位置を位置登録機を介して把握し、また、画像サービス制御局４０に発信側移動端末機１０ａに対する発信者識別情報の検索を要請する（ｂ２）。画像サービス制御局４０は発信者識別情報の検索を実行し、発信側移動端末機１０ａに対応する画像情報、文字情報、または音声情報があるか否かを検索する。また、伝送する情報を設定した後、選択的に組み合わせて移動交換局３０ａへ伝送する（ｃ２）。移動交換局３０ａは把握した着信側移動端末機１０ｂの管轄移動交換局へ発信者識別情報と呼出信号を伝送して（ｄ２）、該当する着信側移動端末機１０ｂへ伝送する（ｅ２、ｆ２）。このとき、基地局２０ｂは呼出信号、音声情報、文字情報、画像情報などの全ての伝送データを一つの呼出チャネル、またはトラフィックチャネルを介して伝送することもでき、呼出信号と音声情報は、図６に示すようなデータフレーム構造で主呼出チャネルを介して該当着信側移動端末機１０ｂへ伝送することができる。次いで、サービス基地局２０ｂは既に設定されている予備呼出チャネルを発信者識別サービス専用チャネルに割当て、その専用チャネルを介して文字情報または画像情報を、図７に示すようなデータフレーム構造で伝送する。もし、画像情報または文字情報が音声情報と共に伝送される場合、主呼出チャネルを介して伝送されるメッセージの予備チャネル情報フィールド５ｅに画像情報または文字情報があるか否かを知らせる。このように二つの呼出チャネルを使用する理由は、画像または文字データと音声データとの伝送レートが互いに異なる特性を有しているので、データ伝送の効率性を高め、主呼出チャネルの負荷を減らすためである。
【００５７】
図５では着信側移動端末機１０ｂが他の移動交換局３０ｂの管轄領域に属するように示されているが、同一移動交換局の管轄下にあることもある。着信側移動端末機１０ｂは呼出周期（例えば、５．１２秒）毎に、自分に割り当てられた呼出チャネルスロット時間（例えば、８０msec）の間にのみ着信信号が受信されたか否かを反復的に検索する。即ち、入力フレームに自分が含まれていると、図２の発信者識別部２は該当伝送データを検出する。この際、発信者識別部２は、図６に示す着信側及び発信側の移動端末機の利用者５ａ、５ｂを確認し、また、データ種類フィールド５ｃを介して伝送データの種類を判断する。
伝送データは呼出信号（例えば、リング信号）であってもよく、音声データであってもよい。また、呼出信号と音声データとが一緒であっても良い。そして、予備チャネル情報フィールド５ｅには画像情報または文字情報が予備チャネルを介して伝送されたというメッセージが含まれている。予備チャネル情報フィールド５ｅに画像情報及び／又は文字情報があると判断されると、着信側移動端末機１０ｂは予備呼出チャネルに移動して画像情報または文字情報を受信し、元の主呼出チャネルへ復帰する。
【００５８】
従って、発信者識別部２は検出信号が音声情報、文字情報、画像情報であるかどうかを調べて、音声情報は音声情報処理部４へ伝送して音声処理させた後、プロセッサ７へ伝達する。また、発信者識別部２は受信信号から画像情報及び／又は文字情報を検出すると、文字情報処理部５及び画像情報処理部６へ各々伝達する。文字情報処理部５及び画像情報処理部６は入力した文字情報または画像情報を元の文字または画像信号（２００×２００ビット）に復元処理して、プロセッサ７へ各々伝達する（図８のＳ１、Ｓ２参照）。従って、発信側移動端末機１０ａに対応する発信者識別情報に画像情報、文字情報及び音声情報がある場合、プロセッサ７は画像表示部１１にはそれらの画像情報が表示されるように制御し、ＬＣＤ表示部１２には文字情報が表示されるように制御し、スピーカ１３には文字情報の内容が音声で提供される。
【００５９】
画像処理部１１で表示される画像情報は二つの方式で処理される。
第一は、伝送画像情報の解像度が一定の大きさ（例えば、６４×６４ビット）を有するように設定した場合には、プロセッサ７は画像情報処理部６から出力される画像情報をそのまま画像表示部１１に表示する。
【００６０】
第二は、伝送解像度が２００×２００ビットの画像に圧縮され伝送される場合である。この場合、プロセッサ７は画像情報処理部６から出力される画像情報の大きさが現在移動端末機の画像表示部１１に合うように、画像サイズ変換部１０を介して画像信号の解像度を変換することができる。
画像情報の変換手順は、図８に示すように、まず、２００×２００ビットに復元した元の映像を水平補間または垂直補間方式を用いて２５６×２５６ビットに変換する（Ｓ３）。次いで、プロセッサ７は２５６×２５６ビットに変換した画像情報の解像度を画素スキップ、または平均化方式によって６４×６４ビット、１２８×１２８ビットとなるように縮小することができ、２進線形（binarylinear）補間技法や画素複写方式で拡大させることができる。すなわち、着信側移動端末機１０ｂの画像表示部１１の大きさに合うよう画像解像度を変換させる（Ｓ４）。
【００６１】
このように変換した画像情報はメモリ９に格納され、プロセッサ７の制御によってＬＣＤ表示部１２にディスプレイされる。本実施形態ではメモリに格納された画像情報を表示部でディスプレイすることにより、受信画像が通話の終了時まで持続的にディスプレイされる。
【００６２】
また、プロセッサ７は音声情報を着信呼の後スピーカ１３を介して提供することもでき、着信呼を省略して音声情報のみを直接出力することもできる。その際、着信側移動端末機１０ｂが通話を開始すると、図５に示すような呼出応答信号が着信側移動端末機１０ｂからその移動交換局３０ａ、３０ｂへ伝送され、発信側移動端末機１０ａと着信側移動端末機１０ｂ間の通話路が設定される（ｇ２−ｋ２）。従って、着信側移動端末機１０ｂは自分が通信事業者オペレーティングセンタ５０に申請した発信者識別サービスのうち、画像情報と音声情報、画像情報と文字情報、または画像情報と文字情報及び音声情報の組合のうち一つを選択的に提供されることができる。
【００６３】
【発明の効果】
上記した本発明によれば、移動通信網で特定の着信側電話機が電話着信呼を受信する場合、同時に、発信者の画像情報、或いは画像情報、音声情報及び文字情報が選択的に組み合われた発信者情報が提供される。即ち、発信者情報を画像情報のみで提供することもでき、画像情報と文字情報とを一緒に提供することもでき、さらには画像情報と文字情報及び音声情報を同時に提供することもできる。
従って、着信側使用者は前記発信者情報により発信者が誰かを確認して通話可否を決定することができ、通話を行う場合、画像電話が可能であるからより便利な機能を提供できる。
【００６４】
また、自分の移動端末機を呼び出す場合には使用者が登録した画像情報、文字情報、音声情報などを自分の移動端末機で確認することができる。
【００６５】
以上説明した内容は、本発明の技術思想を離脱せず限り、多様な変更及び修訂が可能であることは当業者にとっては自明なことであろう。それゆえ、本発明の技術的範囲は発明に記載の内容に限らず、特許請求の範囲によって限定されるべきものである。
【図面の簡単な説明】
【図１】本発明実施形態によるコード分割多重接続方式に基づいた移動通信網の構成図。
【図２】本発明実施形態による移動端末機のブロック構成図。
【図３】図１に示す画像サービス制御局のブロック構成図。
【図４】本発明実施形態によるコード分割多重接続方式に基づいた移動通信網で、画像情報登録手順を示す時間連続流れ図。
【図５】本発明実施形態によるコード分割多重接続方式に基づいた移動通信網で、発信者識別手順を示す時間連続流れ図。
【図６】本発明実施形態による呼び出し信号又は音声信号のフレーム構造を示す図。
【図７】本発明実施形態による文字情報又は画像情報のフレーム構造を示す図。
【図８】本発明による移動端末機で、受信した画像信号を画面表示装置に合うように変換する手順を示す流れ図。
【符号の説明】
１０ａ〜１０ｎ：移動端末機、２０：基地局と基地局制御部、３０：移動交換局、４０：画像サービス制御局、５０：通信事業者オペレーティングセンタ、６０：ホーム位置登録機、７０：公衆交換網。
【図１】
0004522554.tif 000002
【図２】
0004522554.tif 000003
【図３】
0004522554.tif 000004
【図４】
0004522554.tif 000005
【図５】
0004522554.tif 000006
【図６】
0004522554.tif 000007
【図７】
0004522554.tif 000008
【図８】
0004522554.tif 000009